(57)【要約】【課題】  従来の撮像装置では、カバンの中などに撮像装置を収容している場合に、電源スイッチがカバンの中の物によって押され続けると、使用者の意志にかかわらず撮像装置に電力が供給され続けてしまい、無駄な電力が消費される。【解決手段】  電源スイッチ６の操作部６ａが操作され続けた時間がＸ秒以上で、図４、Ｓ１の判別が“ＮＯ”の場合に、温度センサ２４により測定された電源スイッチ６の操作部６ａの温度が体温と同等の温度になり、Ｓ２の判別が“ＹＥＳ”になると、電源制御部により、デジタルカメラ１に動作電源が供給される制御がＳ３で行われる。このため、何らかの物により電源スイッチ６が所定の時間以上操作され続けた場合でも、温度センサ２４により測定される電源スイッチ６の操作部６ａの温度は体温と同等の温度にならないため、デジタルカメラ１に動作電源は供給されず、無駄な電力消費の発生が抑えられる。【選択図】  図４
2011112739.tif 000002
【特許請求の範囲】
【請求項１】
電力供給の開始を指示するための電源スイッチと、
前記電源スイッチの操作部周辺の温度を測定する温度センサと、
前記電源スイッチが電力供給の開始を指示する状態となった場合に、前記温度センサにより測定された前記温度に基づいて、前記電源スイッチの操作部が使用者によって操作されたか否かを判定する操作判定部と、
前記操作判定部により前記電源スイッチの操作部が使用者によって操作されたと判定された場合に、電力供給を開始させる制御を行う電源制御部と
を備える撮像装置。
【請求項２】
請求項１に記載の撮像装置において、
前記電源スイッチの操作部が操作され続けた時間が所定の時間以上か否かを判定する経過時間判定部と、
前記経過時間判定部により操作され続けた時間が所定の時間以上であると判定された場合に前記操作判定部による判定を実行させる操作判定実行手段と
を備えることを特徴とする撮像装置。
【請求項３】
請求項１または請求項２に記載の撮像装置において、
沈胴位置から所定の突出位置へ移動自在なレンズ鏡筒と、
前記操作判定部により前記電源スイッチの操作部が使用者によって操作されたと判定された場合に、前記レンズ鏡筒を沈胴位置から所定の突出位置へ移動させるよう駆動するレンズ鏡筒駆動部と
を備えることを特徴とする撮像装置。
【請求項４】
請求項１または請求項２に記載の撮像装置において、
沈胴位置から所定の突出位置へ移動自在なレンズ鏡筒と、
前記電源スイッチが電力供給の開始を指示する状態となった場合に、直ちに前記レンズ鏡筒を沈胴位置から所定の突出位置へ移動させるよう駆動した後、前記操作判定部により前記電源スイッチの操作部が使用者によって操作されなかったと判定された場合に、前記レンズ鏡筒を所定の突出位置から沈胴位置へ移動させるよう駆動するレンズ鏡筒駆動部とを備え、
前記電源制御部は、前記電源スイッチが電力供給の開始を指示する状態となった場合に、前記レンズ鏡筒駆動部へのみ電力供給を行い、その後、前記操作判定部により前記電源スイッチの操作部が使用者によって操作されたと判定された場合に、残りの電源被供給部へ電力供給を行う
ことを特徴とする撮像装置。
【請求項５】
請求項１または請求項２に記載の撮像装置において、
沈胴位置から所定の突出位置へ移動自在なレンズ鏡筒または撮像装置の筐体表面に露出するレンズを覆う閉状態から前記レンズを前記筐体表面に露出させる開状態へ移動自在なバリアと、
前記レンズ鏡筒または前記バリアを駆動する駆動部と、
前記駆動部により前記レンズ鏡筒を沈胴位置から所定の突出位置へ移動させる際または前記バリアを閉状態から開状態へ移動させる際に所定の不具合が発生すると警告を報知する報知部と
を備えることを特徴とする撮像装置。
【請求項６】
請求項１から請求項５のいずれか１項に記載の撮像装置において、
前記温度センサは撮像装置の筐体内の温度を測定し、
前記電源制御部は、前記温度センサにより測定された前記筐体内の温度が所定の上限値になると撮像装置への動作電源の供給を停止する
ことを特徴とする撮像装置。
【発明の詳細な説明】
【技術分野】
【０００１】
本発明は、電源スイッチが操作されて撮像装置に動作電源が供給される撮像装置に関するものである。
【背景技術】
【０００２】
従来、この種の撮像装置としては、例えば、特許文献１に開示されたデジタルカメラがある。このデジタルカメラの上面には、電源スイッチが設けられている。レンズ鏡胴が沈胴位置に格納された初期状態において、電源スイッチをＯＮにすると、電源ＯＮ信号がマイクロコンピュータに送信され、レンズ鏡胴は鏡胴駆動装置により沈胴位置から撮影準備位置に繰り出され、撮影可能状態となる。また、撮影者が撮影を終えて、一秒未満一回電源スイッチを押して電源をＯＦＦにすると、レンズ鏡胴は沈胴位置に格納されずに、撮影準備位置に留まったままの状態で電源がＯＦＦされる。この場合、再度電源をＯＮにした際、撮影可能状態になるまでの時間が短縮される。
【先行技術文献】
【特許文献】
【０００３】
【特許文献１】特開２００３−２４８２６２号公報
【発明の概要】
【発明が解決しようとする課題】
【０００４】
しかしながら、特許文献１に開示された従来の撮像装置では、電源スイッチをＯＦＦにして撮像装置を持ち歩いている場合、電源スイッチに何らかの物が衝突して電源スイッチが押されると、使用者の意志にかかわらず撮像装置に電力が供給されてしまい、無駄な電力が消費される。また、カバンの中などに撮像装置を収容している場合に、電源スイッチがカバンの中の物によって押され続けると、使用者の意志にかかわらず撮像装置に電力が供給され続けてしまい、無駄な電力が消費される。また、このように使用者の意志にかかわらず電源スイッチが押されると、レンズ鏡筒が不用意に繰り出されて故障の原因となる。
【課題を解決するための手段】
【０００５】
本発明はこのような課題を解決するためになされたもので、
電力供給の開始を指示するための電源スイッチと、
電源スイッチの操作部周辺の温度を測定する温度センサと、
電源スイッチが電力供給の開始を指示する状態となった場合に、温度センサにより測定された温度に基づいて、電源スイッチの操作部が使用者によって操作されたか否かを判定する操作判定部と、
操作判定部により電源スイッチの操作部が使用者によって操作されたと判定された場合に、電力供給を開始させる制御を行う電源制御部と
を備えて、撮像装置を構成した。
【０００６】
また、本発明は、電源スイッチの操作部が操作され続けた時間が所定の時間以上か否かを判定する経過時間判定部と、
経過時間判定部により操作され続けた時間が所定の時間以上であると判定された場合に操作判定部による判定を実行させる操作判定実行手段とを備えることを特徴とする。
【０００７】
また、本発明は、
沈胴位置から所定の突出位置へ移動自在なレンズ鏡筒と、
操作判定部により電源スイッチの操作部が使用者によって操作されたと判定された場合に、レンズ鏡筒を沈胴位置から所定の突出位置へ移動させるよう駆動するレンズ鏡筒駆動部とを備えることを特徴とする。
【０００８】
また、本発明は、
沈胴位置から所定の突出位置へ移動自在なレンズ鏡筒と、
電源スイッチが電力供給の開始を指示する状態となった場合に、直ちにレンズ鏡筒を沈胴位置から所定の突出位置へ移動させるよう駆動した後、操作判定部により電源スイッチの操作部が使用者によって操作されなかったと判定された場合に、レンズ鏡筒を所定の突出位置から沈胴位置へ移動させるよう駆動するレンズ鏡筒駆動部とを備え、
電源制御部は、電源スイッチが電力供給の開始を指示する状態となった場合に、レンズ鏡筒駆動部へのみ電力供給を行い、その後、操作判定部により電源スイッチの操作部が使用者によって操作されたと判定された場合に、残りの電源被供給部へ電力供給を行うことを特徴とする。
【０００９】
また、本発明は、
沈胴位置から所定の突出位置へ移動自在なレンズ鏡筒または撮像装置の筐体表面に露出するレンズを覆う閉状態からレンズを筐体表面に露出させる開状態へ移動自在なバリアと、
レンズ鏡筒またはバリアを駆動する駆動部と、
駆動部によりレンズ鏡筒を沈胴位置から所定の突出位置へ移動させる際またはバリアを閉状態から開状態へ移動させる際に所定の不具合が発生すると警告を報知する報知部と
を備えることを特徴とする。
【００１０】
また、本発明は、
温度センサが撮像装置の筐体内の温度を測定し、
電源制御部が、温度センサにより測定された筐体内の温度が所定の上限値になると撮像装置への動作電源の供給を停止する
ことを特徴とする。
【発明の効果】
【００１１】
本発明による撮像装置によれば、不用意に撮像装置の電源スイッチが何らかの物によって操作されて、使用者の意志にかかわらず撮像装置に動作電源が供給されてしまう誤作動を防ぐことができ、撮像装置の無駄な電力消費の発生が抑えられる。また、使用者の意志にかかわらず電源スイッチが押されることで、レンズ鏡筒が不用意に繰り出されて故障が生じるのも防止できる。
【図面の簡単な説明】
【００１２】
【図１】（ａ）は、本発明の一実施の形態によるデジタルカメラの外観の概略を示す正面斜視図、（ｂ）は、背面斜視図である。
【図２】図１に示すデジタルカメラの電気回路構成の概略を示すブロック図である。
【図３】図１に示すデジタルカメラに設けられた電源スイッチ部分の断面図である。
【図４】図１に示すデジタルカメラのＣＰＵによって行われる撮影処理の概略を示すフローチャートである。
【図５】図１に示すデジタルカメラの変形例における、ＣＰＵによって行われる撮影処理の概略を示すフローチャートである。
【図６】図１に示すデジタルカメラの別の変形例における、ＣＰＵによって行われる撮影処理の概略を示すフローチャートである。
【発明を実施するための形態】
【００１３】
次に、本発明による撮像装置をデジタルカメラに適用した場合における、本発明を実施するための一形態について説明する。
【００１４】
図１（ａ）は、この一実施の形態によるデジタルカメラ１の外観の概略を示す正面斜視図である。
【００１５】
デジタルカメラ１は、カメラボディ２の前面に撮影用のレンズ鏡筒３が設けられている。このレンズ鏡筒３は、沈胴位置から所定の突出位置へ移動自在に構成されている。また、カメラボディ２の正面から見て左側には、撮影時に撮影者によって握られるグリップ部４が設けられている。このグリップ部４の上面には、撮影用のシャッターボタンであるレリーズボタン５が設けられている。このレリーズボタン５の右方のカメラボディ２の上面には、操作されるとデジタルカメラ１の内部の各回路に電力供給の開始を指示するための電源スイッチ６が設けられている。また、カメラボディ２の正面から見て右上側には、被写体が暗い場合に明るさを確保するためのフラッシュ７が備えられている。
【００１６】
図１（ｂ）は、デジタルカメラ１の外観の概略を示す背面斜視図である。なお、同図（ｂ）において同図（ａ）と同一部分には同一符号を付してその説明は省略する。
【００１７】
カメラボディ２の背面にはモニタ１１が設けられている。モニタ１１は、ＴＦＴ（Thin Film Transistor）液晶からなり、構図を確認するためのスルー画や、撮影情報などの各種情報を表示すると共に、撮影した画像を再生表示する。モニタ１１の表面にはタッチパネル機能を有するタッチパネル１２が配置されている。撮影者によるモニタ１１に対するタッチ操作は、タッチパネル１２により検出される。
【００１８】
モニタ１１の右側には、ズームボタン１３および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の中央には決定ボタン１５が設けられている。決定ボタン１５は、十字ボタン１４の操作によって選択された所望の設定項目を決定する際などに操作される。また、これらのボタンは、モニタ１１に表示されるメニュー画面などにおいて設定することにより、モニタ１１のタッチパネル操作で代用することもできる。
【００１９】
図２は、デジタルカメラ１の電気回路構成の概略を示すブロック図である。
【００２０】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２１】
被写体からの光は、光学系を構成するレンズ鏡筒３を介してデジタルカメラ１内に取り込まれる。デジタルカメラ１内に取り込まれた被写体光は、撮像部２５の撮像面２５ａ上に被写体像を投影する。撮像部２５は、ＣＣＤ（Charge Coupled Device）やＣＭＯＳ（Complementary Metal Oxide Semiconductor）などからなる。ＣＰＵ２１に接続されているレリーズボタン５は、半押しされるとオートフォーカス機能を作動させて、レンズ鏡筒駆動部１６によってレンズ鏡筒３を移動させる。また、全押しされると予め設定されたシャッター速度で図示しないシャッターを開かせ、被写体像を撮像部２５の撮像面２５ａに所定時間露光させて被写体の撮影を行わせる。撮像部２５の撮像面２５ａ上に結像した被写体像は、アナログの撮像信号に変換される。変換された撮像信号は、Ａ／Ｄ変換部２６においてデジタル信号に変換される。撮像部２５は、被写体像を撮像する撮像手段を構成する。画像処理部２７は、Ａ／Ｄ変換部２６でデジタル信号に変換された撮像信号をバス２８を介して取得し、取得した撮像信号に対して、ホワイトバランス処理やガンマ補正などの画像処理を行い、撮影された画像の画像データを生成する。画像処理部２７によって生成された画像データは、圧縮処理が施されてバッファメモリ２３に一時格納されると共に、Ｉ／Ｆ部２９を介して、図示しないスロットに着脱される、記憶媒体を構成するメモリカード３０に記録される。
【００２２】
また、ＣＰＵ２１は、モニタ１１に、撮像部２５の撮像面２５ａで撮像される被写体像をスルー画として表示させる。モニタ１１は、撮像手段によって撮像される被写体像を表示する表示手段を構成する。また、モニタ１１の表示領域に対して行われるタッチ操作は、ＣＰＵ２１に接続されたタッチパネル１２によって検出される。タッチ操作が検出されると、タッチパネル１２からタッチ操作検出信号が出力され、タッチ操作により入力される情報がＣＰＵ２１に送出される。また、ＣＰＵ２１には、電源スイッチ６および温度センサ２４が接続されている。
【００２３】
図３（ａ）は、デジタルカメラ１に設けられた電源スイッチ６部分の断面図である。同図（ａ）に示すように、カメラボディ２の表面から突出する電源スイッチ６の操作部６ａの下部には、温度センサ２４が設けられている。温度センサ２４は、フレキシブルな材質で構成されているＦＰＣ(Flexible Printed Circuit；フレキシブルプリント回路)３２に実装されて、支持部材３１によって支えられている。ＦＰＣ３２は、カメラボディ２の内側に延びており、コネクタ３３を介して回路基板３４と接続されている。なお、ＦＰＣ３２は、コネクタ３３を用いずに半田付けによって回路基板３４に直接接続される構成であってもよい。温度センサ２４は、電源スイッチ６の操作部６ａ周辺の温度を抵抗値測定法などにより測定する。また、温度センサ２４は、デジタルカメラ１本体の安全レベルの向上のため、デジタルカメラ１の筐体を構成するカメラボディ２内の温度を測定する。温度センサ２４により測定された温度に関する情報は、ＦＰＣ３２およびコネクタ３３を介して回路基板３４へ出力され、さらにＣＰＵ２１へ伝達される。
【００２４】
支持部材３１の突起部３１ａ下方における回路基板３４上には、ドームＳＷ（スイッチ）３５が設けられている。ドームＳＷ３５は、５ｍｍ×５ｍｍ程度の底面をした直方体状のＳＷ本体３５ａに、球状に押圧部３５ｂが突出して構成されている。電源スイッチ６は、操作部６ａ、支持部材３１およびドームＳＷ３５から構成され、電源スイッチ６の操作部６ａが押される前には、ドームＳＷ３５の押圧部３５ｂと、その上方に位置する支持部材３１の突起部３１ａとの間に所定の間隔があいている。撮影者が操作部６ａを押すと、支持部材３１の突起部３１ａは、同図（ｂ）に示す矢印方向に移動してドームＳＷ３５側に接近し、その後同図（ｃ）に示すようにドームＳＷ３５の押圧部３５ｂと接触して押圧部３５ｂを押す。押圧部３５ｂが押されるとＳＷ本体３５ａ内で接点が閉じて電源スイッチ６がオンになり、これがＣＰＵ２１によって検知されて電源スイッチ６のオン操作が検出される。
【００２５】
ＣＰＵ２１は、温度センサ２４により測定された電源スイッチ６の操作部６ａの温度が体温と同等の温度（例えば３６°Ｃ）になったと判定された場合、電源スイッチ６の操作部６ａが使用者の指によって操作されたとみなし、デジタルカメラ１に動作電源を供給させる制御を行う。本実施形態では、ＣＰＵ２１は、電源スイッチ６の操作部６ａが操作され続けた時間が所定の時間以上である場合に、この制御を行う。また、ＣＰＵ２１は、電源スイッチ６が電力供給の開始を指示する状態となった場合に、温度センサ２４により測定された温度に基づいて、電源スイッチ６の操作部６ａが使用者によって操作されたか否かを判定する操作判定部を構成しており、さらに、電源スイッチ６の操作部６ａが操作され続けた時間が所定の時間以上か否かを判定する経過時間判定部、経過時間判定部により操作され続けた時間が所定の時間以上であると判定された場合に、操作判定部による判定を実行させる操作判定実行手段、および、操作判定部により電源スイッチ６の操作部６ａが使用者によって操作されたと判定された場合に、電力供給を開始させる制御を行う電源制御部を構成している。レンズ鏡筒駆動部１６は、レンズ鏡筒３を駆動する駆動部を構成しており、操作判定部により電源スイッチ６の操作部６ａが使用者によって操作されたと判定された場合に、ＣＰＵ２１の制御により、レンズ鏡筒３を沈胴位置から所定の突出位置へ移動させるよう駆動する。また、ＣＰＵ２１は、温度センサ２４により測定されたカメラボディ２内の温度が所定の上限値、例えば６０°Ｃの警告温度になると、モニタ１１にカメラボディ２が高温になっていることを警告するメッセージを表示し、５秒後に電源を強制的にオフにして、デジタルカメラ１への動作電源の供給を停止する。その後、再び電源スイッチ６がオンにされた場合に、カメラボディ２内の温度が５５°Ｃ以下に下がっていないと、ＣＰＵ２１は、再びモニタ１１に上記の警告メッセージを表示し、５秒後に電源を強制的にオフにする。
【００２６】
図４は、デジタルカメラ１のＣＰＵ２１によって行われる撮影処理の概略を示すフローチャートである。
【００２７】
電源スイッチ６が押されると、ＣＰＵ２１は、ステップ（以下、Ｓと記す）１において、電源スイッチ６が押され続けた時間が所定の時間であるＸ秒以内であるか否かを判別する。ここでいう所定の時間は、通常、撮影者が電源スイッチ６を押す時間より長い時間であり、例えば、５〜１０秒程度である。電源スイッチ６が押され続けた時間がＸ秒以上であり、Ｓ１の判別が“ＮＯ”の場合、ＣＰＵ２１は、Ｓ２において、温度センサ２４により測定された電源スイッチ６の操作部６ａの温度が体温と同等の温度になったか否かを判別する。温度センサ２４により測定された温度が体温と同等の温度にならず、Ｓ２の判別が“ＮＯ”の場合、ＣＰＵ２１は、電源ＯＦＦのまま処理を終了する。
【００２８】
一方、電源スイッチ６が押され続けた時間がＸ秒以内であり、Ｓ１の判別が“ＹＥＳ”の場合、または、温度センサ２４により測定された電源スイッチ６の温度が体温と同等の温度になり、Ｓ２の判別が“ＹＥＳ”の場合、ＣＰＵ２１は、電源スイッチ６の操作部６ａが使用者の指によって操作されたとみなし、Ｓ３において、デジタルカメラ１の電源をＯＮにして、デジタルカメラ１に動作電源を供給する。次に、ＣＰＵ２１は、Ｓ４において、レンズ鏡筒駆動部１６を制御して、レンズ鏡筒３を沈胴位置から所定の突出位置へ駆動する。
【００２９】
次に、ＣＰＵ２１は、Ｓ５において、レリーズボタン５の操作に応じて、撮像部２５によって撮像される被写体像の撮影処理を行う。次に、ＣＰＵ２１は、Ｓ６において、温度センサ２４により測定される温度が警告温度の６０°Ｃになったか否かを判別する。温度センサ２４により測定される温度が警告温度にならず、この判別が“ＮＯ”の場合、デジタルカメラ１は安全な状態であり、Ｓ５の撮影処理が続けられる。一方、温度センサ２４により測定される温度が警告温度になり、Ｓ６の判別がＹＥＳ”の場合、デジタルカメラ１は異常な高温状態であるため、ＣＰＵ２１は、Ｓ７において、レンズ鏡筒３を沈胴させ、Ｓ８において、電源をＯＦＦにしてデジタルカメラ１への動作電源の供給を停止する。
【００３０】
このような本実施形態によるデジタルカメラ１によれば、電源スイッチ６の操作部６ａが操作され続けた時間がＸ秒以上で、図４、Ｓ１の判別が“ＮＯ”の場合に、温度センサ２４により測定された電源スイッチ６の操作部６ａの温度が体温と同等の温度になり、Ｓ２の判別が“ＹＥＳ”になると、電源スイッチ６の操作部６ａが使用者の指によって操作されたとみなされ、電源制御部により、デジタルカメラ１に動作電源が供給される制御がＳ３で行われる。このため、何らかの物により電源スイッチ６が所定の時間以上操作され続けた場合、例えば、カバンの中などにデジタルカメラ１を収容している際に、カバンの中の物によって所定の時間以上電源スイッチ６が操作され続けた場合でも、温度センサ２４により測定される電源スイッチ６の操作部６ａの温度は体温と同等の温度にならないため、デジタルカメラ１に動作電源は供給されず、無駄な電力消費の発生が抑えられる。また、電源スイッチ６の操作部６ａが操作され続けた時間が所定の時間以上で、使用者の体温が操作部６ａに確実に伝わる場合に、上述したＳ２およびＳ３の温度センサ２４による電源制御が行われる。このため、温度センサ２４により測定される電源スイッチ６の操作部６ａの温度が体温と同等の温度になるか否かの判別を正確に実行でき、体温を誤判別しなくなる。
【００３１】
また、本実施形態によるデジタルカメラ１によれば、電源スイッチ６の操作部６ａの温度がＳ２で体温と同等の温度になって、電源スイッチ６の操作部６ａが使用者の指によって操作されたとみなされ、電源制御部によりデジタルカメラ１に動作電源が供給される制御がＳ３で行われると、レンズ鏡筒駆動部１６により、レンズ鏡筒３がＳ４で沈胴位置から所定の突出位置へ駆動される。このため、電源スイッチ６の操作部６ａの温度が体温と同等の温度になったことがＳ２で検出されて使用者の操作意志が確認された後に、レンズ鏡筒３が所定の突出位置へ移動させられるので、使用者の意志にかかわらず電源スイッチ６が押されることで、レンズ鏡筒３が不用意に繰り出されて故障が生じるのを防止できる。
【００３２】
また、本実施形態によるデジタルカメラ１によれば、温度センサ２４により測定されたカメラボディ２内の温度が警告温度になり、Ｓ６の判別が“ＹＥＳ”の場合に、電源制御部により、デジタルカメラ１への動作電源の供給がＳ８で停止される。このため、１つの温度センサ２４により、電源スイッチ６の操作が人または物のいずれによって行われたかを判別できると共に、デジタルカメラ１のカメラボディ２内の温度が所定の上限値以上になってカメラボディ２内の電気回路等が高温により故障することが防止される。
【００３３】
なお、上述した本実施形態では、電源スイッチ６の操作部６ａが操作され続けた時間が所定の時間以上で、図４、Ｓ１の判別が“ＮＯ”の場合に、温度センサ２４により測定された電源スイッチ６の操作部６ａの温度が体温と同等の温度になり、Ｓ２の判別が“ＹＥＳ”になると、電源スイッチ６の操作部６ａが使用者の指によって操作されたとみなされ、電源制御部により、デジタルカメラ１に動作電源が供給される制御がＳ３で行われる構成であった。しかし、電源スイッチ６が操作されて温度センサ２４により測定された電源スイッチ６の操作部６ａの温度が体温と同等の温度になり、電源スイッチ６の操作部６ａが使用者の指によって操作されたと操作判定部により判定されると、電源スイッチ６の操作部６ａが操作され続けた時間にかかわらず、電源制御部により、デジタルカメラ１に動作電源が供給される制御が行われ、電源スイッチ６の操作部６ａの温度が体温と同等の温度にならないと操作判定部により判定されると、デジタルカメラ１に動作電源が供給されない構成であってもよい。この構成によれば、温度センサ２４により測定される電源スイッチ６の操作部６ａの温度により、使用者によって電源スイッチ６が操作されたのか、何らかの物によって電源スイッチ６が操作されたのかを区別できるようになる。従って、例えば、使用者がデジタルカメラ１を持ち歩いている場合、デジタルカメラ１の電源スイッチ６に何らかの物が衝突して電源スイッチ６が操作されても、温度センサ２４により測定される電源スイッチ６の操作部６ａの温度は体温と同等の温度にならないため、デジタルカメラ１に動作電源は供給されない。この結果、不用意にデジタルカメラ１の電源スイッチ６が何らかの物によって操作されて、使用者の意志にかかわらずデジタルカメラ１に動作電源が供給されてしまう誤作動を防ぐことができ、デジタルカメラ１の無駄な電力消費の発生が抑えられる。
【００３４】
また、上述した本実施形態では、電源制御部によりデジタルカメラ１に動作電源が供給される制御が行われると、レンズ鏡筒駆動部１６によってレンズ鏡筒３が沈胴位置から所定の突出位置へ駆動される構成であったが、電源スイッチ６の操作部６ａが操作されると、レンズ鏡筒駆動部１６によって直ちにレンズ鏡筒３が沈胴位置から所定の突出位置へ駆動される構成であってもよい。
【００３５】
図５は、デジタルカメラ１のこの変形例の構成において、ＣＰＵ２１によって行われる撮影処理の概略を示すフローチャートである。本変形例において、レンズ鏡筒駆動部１６は、電源スイッチ６が電力供給の開始を指示する状態となった場合に、直ちにレンズ鏡筒３を沈胴位置から所定の突出位置へ移動させるよう駆動した後、操作判定部により電源スイッチ６の操作部６ａが使用者によって操作されなかったと判定された場合に、レンズ鏡筒３を所定の突出位置から沈胴位置へ移動させるよう駆動する。また、電源制御部を構成するＣＰＵ２１は、電源スイッチ６が電力供給の開始を指示する状態となった場合に、レンズ鏡筒駆動部１６へのみ電力供給を行い、その後、操作判定部により電源スイッチ６の操作部６ａが使用者によって操作されたと判定された場合に、残りの電源被供給部へ電力供給を行う。また、モニタ１１は、レンズ鏡筒駆動部１６によりレンズ鏡筒３を沈胴位置から所定の突出位置へ移動させる際に、所定の不具合、例えば、レンズ鏡筒３の繰り出しに負荷がかかる不具合やレンズ鏡筒３の繰り出しが行えない不具合等が発生すると、警告をレンズエラーメッセージとして表示して報知する報知部を構成する。
【００３６】
電源スイッチ６が押されると、ＣＰＵ２１は、Ｓ１１において、レンズ鏡筒駆動部１６へのみ電力供給を行い、レンズ鏡筒駆動部１６によってレンズ鏡筒３を沈胴位置から所定の突出位置へ駆動する。次に、ＣＰＵ２１は、Ｓ１２において、レンズ鏡筒３に所定の不具合がレンズエラーとして発生したか否かを判別する。レンズ鏡筒３にエラーが発生し、Ｓ１２の判別“ＹＥＳ”の場合、ＣＰＵ２１は、Ｓ１３において、電源スイッチ６が押され続けた時間が所定時間であるＸ秒以内か否かを判別する。電源スイッチ６が押され続けた時間がＸ秒以上であり、Ｓ１３の判別が“ＮＯ”の場合、ＣＰＵ２１は、Ｓ１４において、温度センサ２４により測定された電源スイッチ６の操作部６ａの温度が体温と同等の温度になったか否かを判別する。電源スイッチ６が押され続けた時間がＸ秒以内で、Ｓ１３の判別が“ＹＥＳ”の場合、または、温度センサ２４により測定された電源スイッチ６の温度が体温と同等の温度になり、Ｓ１４の判別が“ＹＥＳ”の場合、ＣＰＵ２１は、電源スイッチ６の操作部６ａが使用者の指によって操作されたとみなし、Ｓ１５において、エラーメッセージをモニタ１１に警告表示して、本撮影処理を終了する。
【００３７】
一方、温度センサ２４により測定された電源スイッチ６の温度が体温と同等の温度にならず、Ｓ１４の判別が“ＮＯ”の場合、ＣＰＵ２１は、Ｓ１６において、レンズ鏡筒３を沈胴させ、ＣＰＵ２１は、電源ＯＦＦのまま処理を終了する。
【００３８】
また、レンズエラーが発生せず、Ｓ１２の判別が“ＮＯ”の場合、ＣＰＵ２１は、Ｓ２０において、電源スイッチ６が押され続けた時間がＸ秒以内であるか否かを判別する。電源スイッチ６が押され続けた時間がＸ秒以上で、Ｓ２０の判別が“ＮＯ”の場合、ＣＰＵ２１は、Ｓ２１において、温度センサ２４により測定された電源スイッチ６の温度が体温と同等の温度になったか否かを判別する。温度センサ２４により測定された電源スイッチ６の温度が体温と同等の温度にならず、Ｓ２１の判別が“ＮＯ”の場合、ＣＰＵ２１は、上述したＳ１６の処理を行う。
【００３９】
一方、電源スイッチ６が押され続けた時間がＸ秒以内で、Ｓ２０の判別が“ＹＥＳ”の場合、または、温度センサ２４により測定された電源スイッチ６の温度が体温と同等の温度になり、電源スイッチ６の操作部６ａが使用者の指によって操作されたとみなされて、Ｓ２１の判別が“ＹＥＳ”の場合、ＣＰＵ２１は、Ｓ２２において、デジタルカメラ１の電源をオンにして、レンズ鏡筒駆動部１６に加え、デジタルカメラ１の残りの電源被供給部へ動作電源を供給し、Ｓ２３において、上述した図４のフローチャートに示すＳ５と同様の撮影処理を行う。その後、ＣＰＵ２１は、Ｓ２４〜２６において、上述した図４のフローチャートに示すＳ６〜Ｓ８と同様の処理を行う。
【００４０】
このような本変形例によるデジタルカメラ１によっても、何らかの物により電源スイッチ６が所定の時間以上操作され続け、図５、Ｓ１３またはＳ２０の判別が“ＮＯ”の場合、温度センサ２４により測定される電源スイッチ６の操作部６ａの温度は体温と同等の温度にならず、Ｓ１４またはＳ２１の判別が“ＮＯ”になり、Ｓ２２の電源ＯＮ処理が行われないため、デジタルカメラ１に動作電源は供給されず、無駄な電力消費の発生が抑えられる。また、デジタルカメラ１のカメラボディ２内の温度が所定の上限値以上になってＳ２４の判別が“ＹＥＳ”になると、Ｓ２６で電源ＯＦＦ処理が行われ、カメラボディ２内の電気回路等が高温により故障することが防止される。このため、本変形例によっても上述した実施形態と同様な作用効果が奏される。さらに、本変形例によるデジタルカメラ１によれば、電源スイッチ６の操作部６ａが操作されると、電源スイッチ６の操作部６ａの温度にかかわらず直ちに、レンズ鏡筒駆動部１６により、レンズ鏡筒３がＳ１１で沈胴位置から所定の突出位置へ移動させられる。このため、電源スイッチ６を操作した後直ぐに撮影を開始したい撮影者にとって好適なデジタルカメラ１が提供される。
【００４１】
また、本変形例によるデジタルカメラ１によれば、レンズ鏡筒駆動部１６により、レンズ鏡筒３がＳ１１で沈胴位置から所定の突出位置へ移動させられる際に、所定の不具合が発生し、Ｓ１２の判別が“ＹＥＳ”の場合、モニタ１１によりレンズエラー警告がＳ１５で報知される。このため、この警告から、使用者は、レンズ鏡筒３に所定の不具合が発生したことを直ちに知ることができ、また、不具合に対する対策を取ることができる。
【００４２】
また、本変形例では、デジタルカメラ１が、沈胴位置から所定の突出位置へ移動自在な沈胴式のレンズ鏡筒３を備える構成であった。しかし、デジタルカメラ１が、そのカメラボディ２表面に露出するレンズを覆う閉状態から、レンズをカメラボディ２表面に露出させる開状態へ移動自在なバリアを備える、撮影レンズが屈曲式の構成であってもよい。この構成において、ＣＰＵ２１は、図５のＳ１２と同様に、レンズエラー、つまり、バリアを駆動するバリア駆動部によりバリアを閉状態から開状態へ移動させる際に所定の不具合が発生すると、図５、Ｓ１５と同様に、報知部を構成するモニタ１１にエラーメッセージを表示して警告を報知する。
【００４３】
この構成によれば、バリア駆動部によりバリアが閉状態から開状態へ移動させられる際に、所定の不具合、例えば、バリアを開くのに負荷がかかる不具合やバリアが開かない不具合等が発生すると、報知部により警告が報知されるため、この警告から、使用者は、バリアに所定の不具合が発生したことを直ちに知ることができ、また、不具合に対する対策を取ることができる。
【００４４】
また、上述した本実施形態では、図４、Ｓ４でレンズ鏡筒駆動部１６を制御して、レンズ鏡筒３を沈胴位置から所定の突出位置へ駆動した後、レリーズボタン５の操作に応じてＳ５で撮影処理を行う構成であったが、Ｓ４でレンズ鏡筒３を沈胴位置から所定の突出位置へ駆動した際、レンズ鏡筒３に所定の不具合がレンズエラーとして発生したか否かを判別する構成であってもよい。
【００４５】
図６は、デジタルカメラ１のこの別の変形例の構成において、ＣＰＵ２１によって行われる撮影処理の概略を示すフローチャートである。なお、同図において図４と同一処理には同一符号を付してその説明は省略する。
【００４６】
ＣＰＵ２１は、上述したように、Ｓ４において、レンズ鏡筒３を沈胴位置から所定の突出位置へ駆動した後、３１において、レンズ鏡筒３に所定の不具合がレンズエラーとして発生したか否かを判別する。レンズ鏡筒３にエラーが発生し、Ｓ３１の判別が“ＹＥＳ”の場合、ＣＰＵ２１は、Ｓ３２において、エラーメッセージをモニタ１１に警告表示して、本撮影処理を終了する。また、レンズエラーが発生せず、Ｓ３１の判別が“ＮＯ”の場合、ＣＰＵ２１は、上述したように、Ｓ５において、レリーズボタン５の操作に応じて被写体像の撮影処理を行う。この構成によっても、Ｓ３２による警告から、使用者は、レンズ鏡筒３に所定の不具合が発生したことを直ちに知ることができ、また、不具合に対する対策を取ることができる。
【００４７】
また、図５に示す変形例および図６に示す別の変形例では、報知部は、エラーメッセージをモニタ１１に表示することにより警告を報知したが、音声で警告を報知する構成であってもよい。
【産業上の利用可能性】
【００４８】
上記実施形態においては、本発明の撮像装置をデジタルカメラに適用した場合について説明したが、ビデオカメラや、携帯電話機等に内蔵されるカメラ等のその他の撮像装置にも適用することが可能である。このような撮像装置に本発明を適用した場合においても、上記実施形態と同様な作用効果が奏される。
【符号の説明】
【００４９】
１…デジタルカメラ
２…カメラボディ
３…レンズ鏡筒
６…電源スイッチ
６ａ…操作部
１１…モニタ
１６…レンズ鏡筒駆動部
２１…ＣＰＵ
２４…温度センサ
３１…支持部材
３５…ドームＳＷ
３５ａ…ＳＷ本体
３５ｂ…押圧部
【図１】
2011112739.tif 000003
【図２】
2011112739.tif 000004
【図３】
2011112739.tif 000005
【図４】
2011112739.tif 000006
【図５】
2011112739.tif 000007
【図６】
2011112739.tif 000008